(57)【要約】【課題】  非接触ＩＣタグを利用して収集する配線管理システムであって、複数のアダプタに近接して配置された大きな一枚のアンテナを用いたタグリーダ／ライタを備えた配線管理システムを提供すること。【解決手段】  配線盤１に設置されるタグリーダ／ライタのアンテナ７Ａ，７Ｂを複数のアダプタ５Ａ，５Ｂにそれぞれ近接して配置された大きな一枚のアンテナで構成し、更に、選択的に移動する電磁遮蔽板９Ａ，９Ｂを各アダプタに近接して配置し、アダプタにコネクタプラグが挿入されてコネクタプラグ３Ａ，３Ｂに取付けた非接触ＩＣタグ１０Ａ，１０Ｂと前記タグリーダ／ライタとの通信が完了した後はプラグ挿抜検出スイッチ１２Ａ，１２Ｂの挿入信号に基づいて電磁遮蔽板９Ａ，９Ｂを非接触ＩＣタグ１０Ａ，１０Ｂとアンテナ７Ａ，７Ｂとの間に移動させ、非接触ＩＣタグ１０Ａ，１０Ｂがアンテナ７Ａ，７Ｂからの供給電波を奪わないようにした。【選択図】  図２
2007158993.tif 000002
【特許請求の範囲】
【請求項１】
配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に設置されるタグリーダ／ライタのアンテナを複数のアダプタにそれぞれ近接して配置された大きな一枚のアンテナで構成し、更に、コネクタプラグに取付けた非接触ＩＣタグに自動電源遮断機能を備え、通信完了し後は前記タグリーダ／ライタからの電源オフ指令信号に基づいて前記自動遮断機能を働かせ前記非接触ＩＣタグが前記アンテナからの供給電波を奪わないようにしたことを特徴とする配線管理システム。
【請求項２】
配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に設置されるタグリーダ／ライタのアンテナを複数のアダプタに共用の大きな一枚のアンテナで構成し、更に、選択的に移動する電磁遮蔽板を各アダプタに近接して配置し、アダプタにコネクタプラグが挿入されて前記コネクタプラグに取付けた非接触ＩＣタグと前記タグリーダ／ライタとの通信が完了した後は前記プラグ挿抜検出スイッチの挿入信号に基づいて前記電磁遮蔽板を前記非接触ＩＣタグと前記アンテナとの間に移動させ、前記非接触ＩＣタグが前記アンテナからの供給電波を奪わないようにしたことを特徴とする配線管理システム。
【請求項３】
配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に設置されるタグリーダ／ライタのアンテナを前記配線盤の近傍であって挿入中のコネクタプラグに取付けられている非接触ＩＣタグと通信できないような場所に配置したことを特徴とする配線管理システム。
【請求項４】
配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に配置されたタグリーダ／ライタのアンテナをプラグ挿抜工具に配置し、前記プラグ挿抜工具でコネクタプラグを挟み込んだときに前記コネクタプラグに取付けられている非接触ＩＣタグと前記タグリーダとの間の通信を行わせるようにしたことを特徴とする配線管理システム。
【請求項５】
配線ケーブルのコネクタプラグが挿抜されるアダプタが多数配置され、且つ位置情報を記憶したバーコードがアダプタ毎に配置された配線盤の配線情報を、前記配線ケーブルのコネクタプラグに取付けた非接触ＩＣタグを利用して収集する配線管理システムにおいて、
前記配線盤に配置されたタグリーダ／ライタのアンテナとバーコードリーダをプラグ挿抜工具に配置し、前記プラグ挿抜工具でコネクタプラグを挟み込んだときに前記コネクタプラグに取付けられている非接触ＩＣタグと前記タグリーダとの間の通信を行わせるようにし、更に前記プラグ挿抜工具でコネクタプラグをアダプタに挿入したときに前記バーコードリーダによって当該アダプタに近接して配置されているバーコードの情報を読み取らせるようにしたことを特徴とする配線管理システム。
【発明の詳細な説明】
【技術分野】
【０００１】
本発明は、配線盤に配置されている多数のアダプタの中から選択されたアダプタに、多数の配線ケーブルの中から選択された配線ケーブルのコネクタプラグを挿入し、又は前記アダプタから前記コネクタプラグを抜去する配線作業をミスなく行えるように配線情報などの管理を行う配線管理システムであって、配線情報の収集にＩＣタグを利用した配線管理システムに関する。
なお、前記配線ケーブルとは、主として通信用の光ケーブル又はメタルケーブルである。
【背景技術】
【０００２】
特開２００３−１１４２４７号公報（特許文献１）には、ＬＥＤ付非接触ＩＣタグを用いた信号伝送線識別装置が開示されている。前記ＬＥＤ付非接触ＩＣタグは、アンテナ、ＣＰＵ、ＥＥＲＯＭ及びＬＥＤとで構成されたものである。前記ＥＥＲＯＭには、当該ＩＣタグに固有の識別情報が記憶されている。前記ＬＥＤは、タグリーダ／ライタから伝送された問合せ情報に含まれる識別情報と前記ＥＥＲＯＭに記憶された固有の識別情報が一致したときに発光し、当該ＩＣタグが探索の対象であることを報知するものである。
【０００３】
特許文献１の実施例によれば、前記信号伝送線識別装置は、６個の線路成端ユニットで構成された光配線盤の多数のジャンパ光コードの中から、配線変更すべきジャンパ光コードを容易に探索できるように支援する装置である。
【０００４】
しかしながら、前期信号伝送線識別装置にはプラグを挿着すべきコネクタアダプタの位置を報知する手段を備えていないから、作業者は配線表を参照しなければならない。このため、作業者の配線作業は効率が悪いだけでなく、誤挿着の恐れもある。また、上述の信号伝送線識別装置にはどのプラグがどのコネクタアダプタに接続されているかの配線状況を自動的に知る手段がない。このため、作業者はプラグとコネクタアダプタの接続を個々に且つ目視で確認しなければならず、作業効率が悪いだけでなく、確認ミスも起こり得るという問題がある。
【０００５】
次に、特開２００１−５７６８３号公報（特許文献２）には、バーコードの挿抜光ファイバ識別記号が付与された挿抜光ファイバが採用された光配線システムが開示されている。作業者は、作業支援形態端末で前記バーコードを読み取ることにより、挿抜光ファイバを効率よく探索することができる。
【０００６】
しかしながら、この光配線システムにおいては、現場の作業者が指示に従って挿抜光ファイバの挿抜を適切に行ったことを確認することができないという問題がある。また、挿抜を行うべき接続盤上の接続端子を指示する表示部は、当該接続端子を直接的に指示するものではなく、当該接続端子の位置番号を指示するものであり、作業者は指示された位置番号から目的の接続端子を探さなければならないという面倒さもある。更に、この表示部は、接続盤を作成する際に設置されるものであり、しかも有線で中間光配線管理装置に接続されているから、システムのコスト増に繋がるという問題もある。勿論、保持盤ユニットに設けられた表示部についても、同様のコストの問題がある。
【０００７】
更に、米国特許第５８２１５１０号公報（特許文献３）には、バーコードを利用した配線状態確認システムが開示されている。アダプタ用バーコードは、配線盤の多数のアダプタが所定の行列で整然と配置されている配線架に、アダプタ毎に取り付けられている。アダプタ用バーコードは、それが取り付けられているアダプタの位置情報を表すものである。また、プラグ用バーコードは、アダプタに挿着されるジャンパ線の両端のプラグにそれぞれ取り付けられている。プラグ用バーコードは、それが取り付けられているプラグの識別情報を表すものである。
【０００８】
アダプタ用バーコードとプラグ用バーコードのデータは、作業者によってバーコーリ−ダーで読み取られる。読み取られたデータは、パソコンの如き配線管理装置に無線伝送される。配線管理装置は、無線伝送されて入力されたデータを処理し、その表示画面にアダプタとプラグの接続状況を所定のフォーマットで表示する。管理室の配線管理装置のオペレータは、表示画面から、アダプタとプラグの接続が正しいか否かを判断する。或いは、配線管理装置は、アダプタとプラグの接続状況と共に、誤接続か否かの判断結果を併せて表示する。従って、このアダプタ用バーコードとプラグ用バーコードを利用した配線状態確認システムは、アダプタとプラグの接続状況を効率的に把握できるシステムである。
【０００９】
しかしながら、この従来のシステムでは、現場の作業者は誤接続を即時に知ることができないという問題がある。また、管理室の配線管理装置のオペレータから誤接続のアダプタの位置情報を電話等で知らされても、目視で当該アダプタを探さなければならない。これは作業効率が悪いだけでなく、ミスの恐れもある。更に、この従来のシステムでは、配線変更の対象となるアダプタとプラグを現場の作業者が直接的に知ることができないという問題もある。
【００１０】
更にまた、特開２００４−１６５０８９号公報（特許文献４）には、多数の光コネクタアダプタが配置された配線盤の選択された光コネクタアダプタにパッチコードの光コネクタを挿着し、または前記光アダプタから光コネクタを抜去して行う配線盤の配線作業を支援する配線装置が開示されている。この配線装置は、各光コネクタアダプタに隣接して配置されたＬＥＤを備えている。これらの表示部は、制御盤毎に設けられている制御部を介してパソコンに接続されている。前記パソコンには、上記光コネクタアダプタの配置データが予め記憶されており、前記制御部を介して前記表示部の点灯制御を行う。従って、作業者は、前記ＬＥＤの点灯によって、パッチコードの光コネクタを挿着すべき光コネクタアダプタを直接的に知ることができる。
【００１１】
この配線装置には、各光コネクタアダプタに隣接してアンテナが設けられている。また、パッチコードの光コネクタに非接触ＩＣタグが取り付けられており、前記非接触ＩＣタグにはコネクタＩＤが記憶されている。光コネクタアダプタにパッチコードのコネクタが挿着されると、前記アンテナを介してパソコンによってコネクタＩＤが読み取られる。従って、パソコンにより、配線盤の光コネクタアダプタへの光コネクタの配線情報を自動的に収集することができる。また、パソコンは、光コネクタアダプタに光コネクタが挿着されたことを検出すると、前記制御部を介して、コネクタ挿着を作業者に指示するために点灯しているＬＥＤを消灯させる。
【００１２】
この配線装置は、配線作業を効率化し、配線情報を自動的に収集するものであるが、パッチコードの光コネクタに非接触ＩＣタグの構造と配置、非接触ＩＣタグのコネクタＩＤを読み出すためのアンテナの構造と配置、ＬＥＤを含む表示部の構造と配置、更にはパソコンとアンテナ並びにＬＥＤとの接続に新たな製造コストを生じるので、コストが高いという問題がある。しかも、この配線装置は、配線盤或いは配線架を製造する際に組み込まなければならないので、汎用性が低いという問題もある。
【００１３】
そこで、本特許出願人は、特開２００５−８４１６２号公報（特許文献５）に記載する如き配線管理システムを開発した。これらの配線管理システムは、配線盤に配置されている多数のアダプタの中から選択されたアダプタに、多数の配線ケーブルの中から選択された配線ケーブルのコネクタプラグ挿入し、又は前記アダプタから前記コネクタプラグを抜去する配線作業を作業員が確実に行えるように情報管理する配線管理システムであって、前記配線ケーブルのコネクタプラグには配線管理情報が記憶されたＩＣタグが取付けられており、前記配線ケーブルのコネクタプラグが選択されたアダプタに挿入されたときには当該アダプタの位置情報と前記コネクタプラグの配線管理情報がパソコン等の配線情報管理装置に自動的に収集される配線管理システムである。
【００１４】
上述の特許文献５に記載の配線管理システムは、特許文献１〜４に記載の従来の問題点を解消するものではある。しかしながら、この配線管理システムにおいて、前記非接触ＩＣタグに記憶されている情報を読み取り或いは情報を書き込むタグリーダ／ライタのアンテナ並びに挿抜検出スイッチをアダプタ毎に配置されているために、後付作業が困難なこと、及び導入コストが高いという問題がある。
【特許文献１】特開２００３−１１４２４７号公報
【特許文献２】特開２００１−５７６８３号公報
【特許文献３】米国特許第５８２１５１０号公報
【特許文献４】特開２００４−１６５０８９号公報
【特許文献５】特開２００５−８４１６２号公報
【発明の開示】
【発明が解決しようとする課題】
【００１５】
本発明が解決しようとする第１の課題は、配線ケーブルのコネクタプラグが挿抜されるアダプタが多数配置された配線盤の配線情報を、前記配線ケーブルのコネクタプラグに取付けた非接触ＩＣタグを利用して収集する低コストの配線管理システムを提供することである。
【００１６】
本発明が解決しようとする第２の課題は、配線ケーブルのコネクタプラグが挿抜されるアダプタが多数配置された配線盤の配線情報を、前記配線ケーブルのコネクタプラグに取付けた非接触ＩＣタグを利用して収集する配線管理システムであって、複数のアダプタに近接して配置された大きな一枚のアンテナを用いたタグリーダ／ライタを備えた配線管理システムを提供することである。
【００１７】
本発明が解決しようとする第３の課題は、配線ケーブルのコネクタプラグが挿抜されるアダプタが多数配置された配線盤の配線情報を、前記配線ケーブルのコネクタプラグに取付けた非接触ＩＣタグを利用して収集する配線管理システムであって、コネクタプラグの挿抜を指先で行うことが困難な高密度に配置されたアダプタを備えた配線盤に適用できる配線管理システムを提供することである。
【課題を解決するための手段】
【００１８】
上述の第１と第２の課題を解決する第１の手段は、配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に設置されるタグリーダ／ライタのアンテナを複数のアダプタにそれぞれ近接して配置された大きな一枚のアンテナで構成し、更に、コネクタプラグに取付けた非接触ＩＣタグに自動電源遮断機能を備え、通信完了し後は前記タグリーダ／ライタからの電源オフ指令信号に基づいて前記自動遮断機能を働かせ前記非接触ＩＣタグが前記アンテナからの供給電波を奪わないようにしたものである。
【００１９】
上述の第１と第２の課題を解決する第２の手段は、配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に設置されるタグリーダ／ライタのアンテナを複数のアダプタに共用の大きな一枚のアンテナで構成し、更に、選択的に移動する電磁遮蔽板を各アダプタに近接して配置し、アダプタにコネクタプラグが挿入されて前記コネクタプラグに取付けた非接触ＩＣタグと前記タグリーダ／ライタとの通信が完了した後は前記プラグ挿抜検出スイッチの挿入信号に基づいて前記電磁遮蔽板を前記非接触ＩＣタグと前記アンテナとの間に移動させ、前記非接触ＩＣタグが前記アンテナからの供給電波を奪わないようにしたものである。
【００２０】
上述の第１と第３の課題を解決する第１の手段は、配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に設置されるタグリーダ／ライタのアンテナを前記配線盤の近傍であって挿入中のコネクタプラグに取付けられている非接触ＩＣタグと通信できないような場所に配置したものである。
【００２１】
上述の第１と第３の課題を解決する第２の手段は、配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に配置されたタグリーダ／ライタのアンテナをプラグ挿抜工具に配置し、前記プラグ挿抜工具でコネクタプラグを挟み込んだときに前記コネクタプラグに取付けられている非接触ＩＣタグと前記タグリーダとの間の通信を行わせるようにしたものである。
【００２２】
上述の第１と第３の課題を解決する第３の手段は、配線ケーブルのコネクタプラグが挿抜されるアダプタが多数配置され、且つ位置情報を記憶したバーコードがアダプタ毎に配置された配線盤の配線情報を、前記配線ケーブルのコネクタプラグに取付けた非接触ＩＣタグを利用して収集する配線管理システムにおいて、
前記配線盤に配置されたタグリーダ／ライタのアンテナとバーコードリーダをプラグ挿抜工具に配置し、前記プラグ挿抜工具でコネクタプラグを挟み込んだときに前記コネクタプラグに取付けられている非接触ＩＣタグと前記タグリーダとの間の通信を行わせるようにし、更に前記プラグ挿抜工具でコネクタプラグを選択されたアダプタに挿入したときに前記バーコードリーダによって当該アダプタに近接して配置されているバーコードの情報を読み取らせるようにしたものである。
【発明の効果】
【００２３】
本発明により、配線ケーブルのコネクタプラグが挿抜されるアダプタが多数配置された配線盤の配線情報を、前記配線ケーブルのコネクタプラグに取付けた非接触ＩＣタグを利用して収集する低コストの配線管理システムを提供することができた。
【００２４】
また、請求項１又は２に記載の発明によれば、複数のアダプタに共用の大きな一枚のアンテナを用いることができるので、配線管理システムの更なる低コスト化が図れるようになった。
【００２５】
また、請求項３に記載の発明によれば、複数のアダプタに共用のアンテナを用いることができるので、配線管理システムの更なる低コスト化が図れるようになった。
【００２６】
更に、タグリーダ／ライタのアンテナをプラグ挿抜工具に配置した請求項４又は５に記載の発明によれば、高密度に配置された多数のアダプタを備えた配線盤に適した低コストの配線管理システムが提供された。
【発明を実施するための最良の形態】
【００２７】
本発明に係る配線管理システムは、配線ケーブルのコネクタプラグが挿抜されるアダプタが多数配置され、且つ位置情報を提供するプラグ挿抜検出スイッチがアダプタ毎に配置された配線盤の配線情報を、前記配線ケーブルのコネクタプラグに取付けた非接触ＩＣタグを利用して収集する配線管理システムにおいて、
前記配線盤に設置されるタグリーダ／ライタのアンテナを複数のアダプタにそれぞれ近接して配置された大きな一枚のアンテナで構成し、更に、コネクタプラグに取付けた非接触ＩＣタグに自動電源遮断機能を備え、通信完了し後は前記タグリーダ／ライタからの電源オフ指令信号に基づいて前記自動遮断機能を働かせ前記非接触ＩＣタグが前記アンテナからの供給電波を奪わないようにしたことを特徴とする配線管理システムである。
【実施例１】
【００２８】
本発明の実施例１の配線支援システムは、図１の配線パネルの模式的構成図に示す如く、配線ケーブル４のコネクタプラグ３Ａ，３Ｂが挿抜されるアダプタ５Ａ，５Ｂが多数配置され、且つ位置情報を提供するプラグ挿抜検出スイッチ１２Ａ，１２Ｂがアダプタ毎に配置された配線盤１の配線情報を、配線ケーブル４のコネクタプラグ３Ａ，３Ｂに取付けた非接触ＩＣタグ１０Ａ，１０Ｂを利用して収集する配線管理システムにおいて、配線盤１に設置されるタグリーダ／ライタのアンテナ７Ａ，７Ｂを複数のアダプタ５Ａ，５Ｂにそれぞれ近接して配置された大きな一枚のアンテナで構成し、更に、コネクタプラグ３Ａ，３Ｂに取付けた非接触ＩＣタグ１０Ａ，１０Ｂに自動電源遮断機能を備え、通信完了し後は前記タグリーダ／ライタからの電源オフ指令信号に基づいて前記自動遮断機能を働かせ前記非接触ＩＣタグ１０Ａ，１０Ｂがアンテナ７Ａ，７Ｂからの供給電波を奪わないようにしたことを特徴とするものである。
【００２９】
即ち、実施例１の配線支援システムは、図１の配線パネルの模式的構成図に示す如く、多数のアダプタが配置された配線盤１に適用されたものである。前記配線盤１は、４個のアダプタ５Ａが横一列に等間隔に配置された配線パネル２Ａと、同じく４個のアダプタ５Ｂが横一列に等間隔に配置された配線パネル２Ｂとを有している。
【００３０】
配線パネル２Ａにはアダプタ５Ａの近くにＬＥＤ６Ａがそれぞれ配置され、アダプタ５Ａにはプラグ挿抜検出スイッチ１２Ａがそれぞれ設置されている。配線パネル２Ａの正面には直角に突出したボード８Ａが備えられている。ボード８Ａには回路基板が配置され、前記回路基板には各種の回路素子や電子部品が接続されて配線パネル２Ａのタグリーダ／ライタを構成している。タグリーダ／ライタのアンテナ７Ａは、ボード８Ａ上に配置されている。ボード８Ａは、プラグ挿抜検出スイッチ１２Ａのスイッチ基板としても機能している。ＬＥＤ６Ａは、図示しないＰＣなどからの制御によって、作業者にコネクタ装着箇所を指定するものである。
【００３１】
また、配線パネル２Ｂにはアダプタ５Ｂの近くにＬＥＤ６Ｂがそれぞれ配置され、アダプタ５Ｂにはプラグ挿抜検出スイッチ１２Ｂがそれぞれ設置されている。配線パネル２Ｂの正面には直角に突出したボード８Ｂが備えられている。ボード８Ｂには回路基板が配置され、前記回路基板には各種の回路素子や電子部品が接続されて配線パネル２Ｂのタグリーダ／ライタを構成している。タグリーダ／ライタのアンテナ７Ｂは、ボード８Ｂ上に配置されている。ボード８Ｂは、プラグ挿抜検出スイッチ１２Ｂのスイッチ基板としても機能している。ＬＥＤ６Ｂは、図示しないＰＣなどからの制御によって、作業者にコネクタ装着箇所を指定するものである
【００３２】
配線ケーブル４は両端にはコネクタプラグ３Ａと３Ｂが取付けられている。そして、コネクタプラグ３Ａは配線パネル２Ａの左端のアダプタ（５Ａ−１）に挿入され、且つ、コネクタプラグ３Ｂは配線パネル２Ｂの左端のアダプタ（５Ｂ−１）に挿入されている。
【００３３】
実施例１の配線管理システムを構成する配線管理パネルは、図６のブロック構成図に示す如く、パネル全体の制御を行う制御部２１、ＩＣタグと通信電波を入放射するタグリーダ／ライタのアンテナ２２、ＩＣタグと通信処理を行うＩＣタグ用変復調部２３、コネクタプラグの挿入又は抜去を監視するスイッチ部２４、ＬＥＤ等で各種の表示を行う表示部２５、タグリーダ／ライタとＩＣタグとの通信完了の確認音を発生する音源部２６、配線情報を管理するデータベースと接続するためのインターフェイス２７、及び電源部２８とで構成されている。タグリーダ／ライタは、アンテナ２２と制御部２１とＩＣタグ用変復調部２３とで構成されている。
【００３４】
タグリーダ／ライタのアンテナ２２は、図１においては配線パネル２Ａに配置されているアンテナ７Ａ、配線パネル２Ｂに配置されているアンテナ７Ｂを含む。また、スイッチ部２４は、図１においては配線パネル２Ａに配置されているプラグ挿抜検出スイッチ１２Ａ、配線パネル２Ｂに配置されているプラグ挿抜検出スイッチ１２Ｂを含む。配線パネル２Ａのタグリーダ／ライタは、タグリーダ／ライタ用ボード８Ａに配置されている。また、配線パネル２Ｂのタグリーダ／ライタは、タグリーダ／ライタ用ボード８Ｂに配置されている。
【００３５】
上述の如く構成された実施例１の配線管理システムにおいて、配線管理は次のようにして行われる。先ず、配線ケーブル４の両端のコネクタプラグ３Ａ，３Ｂに取付けられたＩＣタグ１０Ａ，１０Ｂの固有ＩＤを含むＩＣタグ情報などを、図示しない管理用コンピュータに配線の組情報として登録する。
【００３６】
次に、配線ケーブル４のコネクタプラグ３Ａをアダプタ５Ａに挿入接続しようとすると、コネクタプラグ３Ａに取り付けたＩＣタグ１０Ａはタグリーダ／ライタのアンテナ７Ａと電波の授受を行い、ＩＣタグ情報を配線パネル２Ａのタグリーダ／ライタに読み取らせる。ＩＣタグ情報の読み取りが完了すると、音源部２６は確認音を発生する。
【００３７】
そこで、配線ケーブル４のコネクタプラグ３Ａをアダプタ５Ａに挿入接続する。すると、アダプタ５Ａに設置されているプラグ挿抜検出スイッチ１２Ａがコネクタプラグ３Ａに押され、この状態を保持する。
【００３８】
次に、配線ケーブル４のコネクタプラグ３Ｂをアダプタ５Ｂに挿入接続しようとすると、コネクタプラグ３Ｂに取り付けたＩＣタグ１０Ｂはタグリーダ／ライタのアンテナ７Ｂと電波の授受を行い、ＩＣタグ情報を配線パネル２Ｂのタグリーダ／ライタに読み取らせる。ＩＣタグ情報の読み取りが完了すると、音源部２６は確認音を発生する。
【００３９】
そこで、配線ケーブル４のコネクタプラグ３Ｂをアダプタ５Ｂに挿入接続する。すると、アダプタ５Ｂに設置されているプラグ挿抜検出スイッチ１２Ｂがコネクタプラグ３Ｂに押され、この状態を保持する。
【００４０】
次に、制御部２１はスイッチ部２４の状態を走査し、図１においては、配線パネル２Ａの左端のアダプタ（５Ａ−１）に設置されているプラグ挿抜検出スイッチ１２Ａと、配線パネル２Ｂの左端のアダプタ（５Ｂ−１）に設置されているプラグ挿抜検出スイッチ１２Ｂが押されていることを検出し、アダプタ（５Ａ−１）とアダプタ（５Ｂ−１）にコネクタプラグ３Ａとコネクタプラグ３Ｂが挿入されていることを検出する。このようにして、コネクタプラグの挿入位置の検出が行われる。
【００４１】
コネクタプラグの挿入位置の検出に続いて、制御部２１は配線パネル２Ａのタグリーダ／ライタが読み取ったコネクタプラグ３ＡのＩＣタグ情報と、配線パネル２Ｂのタグリーダ／ライタが読み取ったコネクタプラグ３ＢのＩＣタグ情報と、上述のコネクタプラグの挿入位置の情報とを関連付けて、配線ケーブル４の配線情報を表示部２５に表示する。この配線情報は、上位インターフェイス２７を介して図示しない管理用コンピュータ、又はデータベースに送られる。
【００４２】
ところで、実施例１の配線管理システムにおいては、タグリーダ／ライタのアンテナ７Ａ，７Ｂを複数のアダプタ５Ａ，５Ｂにそれぞれ近接して配置された大きな一枚のアンテナで構成している。従って、前記タグリーダ／ライタのアンテナ７Ａ，７Ｂの通信可能範囲内に複数のＩＣタグ１０Ａ，１０Ｂが存在することになるので、アンテナからの供給電波を各ＩＣタグ１０Ａ，１０Ｂが奪い合うことになり、タグリーダ／ライタとＩＣタグ１０Ａ，１０Ｂとの間の通信が不可能になることが生じる。配線パネル１にアダプタ５Ａ，５Ｂが高密度に配置されている場合には、このような問題が確実に発生する。そこで、この問題を解決するために、実施例１の配線管理システムに用いられるＩＣタグ１０Ａ，１０Ｂに自動電源オフ機能を備えるようにした。
【００４３】
即ち、図１０に示す如く、アンテナコイル３４とコンデンサ３５及びＲＦＩＤチップ３６からなる一般的なＩＣタグに、電子スイッチ３７と自動電源遮断コントロール部３８を追加して自動電源オフ機能を備えたＩＣタグを構成した。なお、ＲＦＩＤチップ３６は、ＣＰＵ、ＲＦモジュール及びメモリを含んで構成されているものである。
【００４４】
一般的なＩＣタグは、タグリーダ／ライタからの電波を整流し、ＲＦＩＤチップ内部の回路の電源とするものであり、タグリーダ／ライタからの電波の供給がなくなれば、ＲＦＩＤチップ内部の回路電圧はゼロになる。これに対して、図１０に示す自動電源オフ機能を備えたＩＣタグは、タグリーダ／ライタからの電波を整流した後、電子スイッチ３７を通してＲＦＩＤチップ内部の回路の電源とするものである。そして、電子スイッチ３７は起動時にオンにし、ＲＦＩＤチップのＣＰＵから指令があると、自動遮断コントロール部３８を介してオフにされる。これによって、電力消費が大きなＲＦＩＤチップ３６への電力供給が遮断され、それ以後は自動遮断コントロール部３８と電子スイッチ３７によって最小限の電力消費が行われるだけである。
【００４５】
次に、図１０に示す自動電源オフ機能を備えたＩＣタグの処理動作を更に詳しく説明する。初期状態では電子スイッチ３７はオン状態である。タグリーダ／ライタとの通信が開始されると、供給された電波によって電源電圧が生成され、電子スイッチ３７を介してＲＦＩＤチップ３６に電圧が供給される。すると、自動電源オフ機能を備えたＩＣタグはタグリーダ／ライタと通信を行う。通信が完了すると、タグリーダ／ライタは自動電源オフ機能を備えたＩＣタグに電源オフ指令を送信する。自動電源オフ機能を備えたＩＣタグは、前記電源オフ指令を受信すると、ＲＦＩＤチップ３６のＣＰＵは自動遮断コントロール部３８を働かせて電子スイッチ３７をオフ状態に遷移させる。オフ状態に遷移させられた電子スイッチ３７はラッチ機能によってオフ状態を保持する。これによって、電力消費が大きなＲＦＩＤチップ３６への電力供給が遮断され、それ以後は自動遮断コントロール部３８と電子スイッチ３７によって最小限の電力消費が行われるだけである。なお、電子スイッチ３７をオフ状態に保持するラッチ機能は、自動電源オフ機能を備えたＩＣタグをタグリーダ／ライタからの電波が届かない場所に移動させたときに自動的に解除されるようになっている。
【００４６】
図１のＩＣタグ１０Ａには、自動電源オフ機能を備えたＩＣタグが用いられているので、タグリーダ／ライタのアンテナ７Ａを複数のアダプタ５Ａにそれぞれ近接して配置した大きな一枚のアンテナで構成しても、アンテナ７Ａからの供給電波を各ＩＣタグ１０Ａが奪い合うことがなくなり、タグリーダ／ライタとＩＣタグとの間の通信が不可能になることが生じなくなった。同様に、図１のＩＣタグ１０Ｂには、自動電源オフ機能を備えたＩＣタグが用いられているので、タグリーダ／ライタのアンテナ７Ｂを複数のアダプタ５Ｂにそれぞれ近接して配置した大きな一枚のアンテナで構成しても、アンテナ７Ｂからの供給電波を各ＩＣタグ１０Ｂが奪い合うことがなくなり、タグリーダ／ライタとＩＣタグとの間の通信が不可能になることが生じなくなった。
【実施例２】
【００４７】
本発明の実施例２の配線支援システムは、図２の配線パネルの模式的構成図に示す如く、配線ケーブル４のコネクタプラグ３Ａ，３Ｂが挿抜されるアダプタ５Ａ，５Ｂが多数配置され、且つ位置情報を提供するプラグ挿抜検出スイッチ１２Ａ，１２Ｂがアダプタ毎に配置された配線盤１の配線情報を、配線ケーブル４のコネクタプラグ３Ａ，３Ｂに取付けた非接触ＩＣタグ１０Ａ，１０Ｂを利用して収集する配線管理システムにおいて、配線盤１に設置されるタグリーダ／ライタのアンテナ７Ａ，７Ｂを複数のアダプタ５Ａ，５Ｂにそれぞれ近接して配置された大きな一枚のアンテナで構成し、更に、選択的に移動する電磁遮蔽板９Ａ，９Ｂを各アダプタに近接して配置し、アダプタにコネクタプラグが挿入されてコネクタプラグ３Ａ，３Ｂに取付けた非接触ＩＣタグ１０Ａ，１０Ｂと前記タグリーダ／ライタとの通信が完了した後はプラグ挿抜検出スイッチ１２Ａ，１２Ｂの挿入信号に基づいて電磁遮蔽板９Ａ，９Ｂを非接触ＩＣタグ１０Ａ，１０Ｂとアンテナ７Ａ，７Ｂとの間に移動させ、非接触ＩＣタグ１０Ａ，１０Ｂがアンテナ７Ａ，７Ｂからの供給電波を奪わないようにしたことを特徴とするものである。
【００４８】
即ち、実施例２の配線支援システムは、図２に示す如き多数のアダプタが配置された配線盤１に適用されたものである。前記配線盤１は、４個のアダプタ５Ａが横一列に等間隔に配置された配線パネル２Ａと、同じく４個のアダプタ５Ｂが横一列に等間隔に配置された配線パネル２Ｂとを有している。
【００４９】
配線パネル２Ａは、実施例１の配線パネルに電磁遮蔽板９Ａが追加されて構成されている。電磁遮蔽板９Ａは、図示しない駆動手段によりパネルの正面の壁面から所定の位置まで直角に前進し、又はパネルの正面の壁面の中に後退するように各アダプタ５Ａに近接して配線パネル２Ａに配置されている。同様に、配線パネル２Ｂは、実施例１の配線パネルに電磁遮蔽板９Ｂが追加されて構成されている。電磁遮蔽板９Ｂは、図示しない駆動手段によりパネルの正面の壁面から所定の位置まで直角に前進し、又はパネルの正面の壁面の中に後退するように各アダプタ５Ｂに近接して配線パネル２Ｂに配置されている。
【００５０】
実施例２の配線管理システムを構成する配線管理パネルは、図７のブロック構成図に示す如く、パネル全体の制御を行う制御部２１、ＩＣタグと通信電波を入放射するタグリーダ／ライタのアンテナ２２、ＩＣタグと通信処理を行うＩＣタグ用変復調部２３、コネクタプラグの挿入又は抜去を監視するスイッチ部２４、ＬＥＤ等で各種の表示を行う表示部２５、タグリーダ／ライタとＩＣタグとの通信完了の確認音を発生する音源部２６、配線情報を管理するデータベースと接続するためのインターフェイス２７、電源部２８、及び電磁遮蔽板コントロール部２９とで構成されている。タグリーダ／ライタは、アンテナ２２と制御部２１とＩＣタグ用変復調部２３とで構成されている。
【００５１】
上述の如く構成された実施例２の配線管理システムの配線管理は、上述した実施例１と同様である。
【００５２】
ところで、実施例２の配線管理システムにおいては、タグリーダ／ライタのアンテナ７Ａ，７Ｂを複数のアダプタ５Ａ，５Ｂにそれぞれ近接して配置された大きな一枚のアンテナで構成している。従って、前記タグリーダ／ライタのアンテナ７Ａ，７Ｂの通信可能範囲内に複数のＩＣタグ１０Ａ，１０Ｂが存在することになるので、アンテナからの供給電波を各ＩＣタグ１０Ａ，１０Ｂが奪い合うことになり、タグリーダ／ライタとＩＣタグ１０Ａ，１０Ｂとの間の通信が不可能になることが生じる。配線パネル１にアダプタ５Ａ，５Ｂが高密度に配置されている場合には、このような問題が確実に発生する。そこで、この問題を解決するために、電磁遮蔽板９Ａ，９Ｂを各アダプタ５Ａ，５Ｂに近接して配線パネル２Ａ，２Ｂに配置し、非接触ＩＣタグ１０Ａ，１０Ｂと前記タグリーダ／ライタとの通信が完了した後は電磁遮蔽板９Ａ，９Ｂを非接触ＩＣタグ１０Ａ，１０Ｂとアンテナ７Ａ，７Ｂとの間に移動させ、電磁シールドを施すようにした。このようにして、アダプタ５Ａ，５Ｂに挿入されたコネクタプラグ３Ａ，３Ｂに取付けられているＩＣタグ１０Ａ，１０Ｂは、電磁遮蔽板９Ａ，９Ｂによってアンテナ７Ａ，７Ｂからの電波が届かないように電磁シールドされ、アンテナ７Ａ，７Ｂからの電波を奪わないようにしたのである。
【００５３】
即ち、上述の電磁シールドは、プラグ挿抜検出スイッチ１２Ａ，１２Ｂの挿入信号に基づいて、制御部２１からの指令を受けた磁遮蔽板コントロール部２９が電磁遮蔽板９Ａ，９Ｂを前進させ、非接触ＩＣタグ１０Ａ，１０Ｂとアンテナ７Ａ，７Ｂとの間に移動させることによって行われる。
【００５４】
アダプタ５Ａ，５Ｂからコネクタプラグ３Ａ，３Ｂが抜去されると、プラグ挿抜検出スイッチ１２Ａ，１２Ｂは抜去信号を発生する。すると、この抜去信号に基づいて、制御部２１からの指令を受けた電磁遮蔽板コントロール部２９は電磁遮蔽板９Ａ，９Ｂを後退させる。
【実施例３】
【００５５】
本発明の実施例３の配線支援システムは、図３の配線パネル２の模式的構成図に示す如く、配線ケーブル４のコネクタプラグ３が挿抜されるアダプタ５が多数配置され、且つ位置情報を提供するプラグ挿抜検出スイッチ１２がアダプタ５毎に配置された配線盤の配線情報を、配線ケーブル４のコネクタプラグ３に取付けた非接触ＩＣタグ１０を利用して収集する配線管理システムにおいて、前記配線盤に設置されるタグリーダ／ライタのアンテナ７を前記配線盤の近傍であって挿入中のコネクタプラグ３に取付けられている非接触ＩＣタグ１０と通信できないような場所に配置したことを特徴とするものである。
【００５６】
即ち、実施例３の配線支援システムは、図３に示す如き多数のアダプタが配置された配線盤に適用されたものである。前記配線盤は、９個のアダプタ５が横一列に等間隔に配置された多数の配線パネル２で構成されている。アダプタ５にはプラグ挿抜検出スイッチ１２がそれぞれ設置されている。配線パネル２の正面には直角に突出したボード８が備えられている。ボード８には回路基板が配置され、前記回路基板には各種の回路素子や電子部品が接続されて配線パネル２のタグリーダ／ライタを構成している。ボード８は、プラグ挿抜検出スイッチ１２のスイッチ基板としても機能している。
【００５７】
配線パネル２のタグリーダ／ライタのアンテナ７は、接続ケーブル１４を介して配線パネル２から離間して配置されている。タグリーダ／ライタのアンテナ７の配置場所は、配線パネル２の配線作業を行う作業員がコネクタプラグ３に取付けられているＩＣタグ１０を容易にかざすことができる場所であって、且つ配線パネル２のアダプタ５に挿入されたコネクタプラグ３に取付けられているＩＣタグ１０に電波が到達しない場所である。
【００５８】
実施例３の配線管理システムを構成する配線管理パネルは、図６のブロック構成図に示す如く、パネル全体の制御を行う制御部２１、ＩＣタグと通信電波を入放射するタグリーダ／ライタのアンテナ２２、ＩＣタグと通信処理を行うＩＣタグ用変復調部２３、コネクタプラグの挿入又は抜去を監視するスイッチ部２４、ＬＥＤ等で各種の表示を行う表示部２５、タグリーダ／ライタとＩＣタグとの通信完了の確認音を発生する音源部２６、配線情報を管理するデータベースと接続するためのインターフェイス２７、及び電源部２８とで構成されている。タグリーダ／ライタは、アンテナ２２と制御部２１とＩＣタグ用変復調部２３とで構成されている。
【００５９】
上述の如く構成された実施例３の配線管理システムにおいて、配線管理は次のようにして行われる。先ず、配線ケーブル４のコネクタプラグ３に取付けられたＩＣタグ１０の固有ＩＤを含むＩＣタグ情報などを、図示しない管理用コンピュータに配線の組情報として登録する。
【００６０】
次に、配線ケーブル４のコネクタプラグ３をアダプタ５に挿入接続するとき、作業員はコネクタプラグ３に取り付けたＩＣタグ１０をタグリーダ／ライタのアンテナ７にかざす。すると、ＩＣタグ１０はタグリーダ／ライタのアンテナ７と電波の授受を行い、ＩＣタグ情報を配線パネル２のタグリーダ／ライタに読み取らせる。ＩＣタグ情報の読み取りが完了すると、音源部２６は確認音を発生する。
【００６１】
そこで、配線ケーブル４のコネクタプラグ３をアダプタ５に挿入接続する。すると、アダプタ５に設置されているプラグ挿抜検出スイッチ１２がコネクタプラグ３に押され、この状態を保持する。
【００６２】
次に、制御部２１はスイッチ部２４の状態を走査し、図１においては、配線パネル２のアダプタ５に設置されているプラグ挿抜検出スイッチ１２のどれが押されたかを調べる。
【００６３】
コネクタプラグの挿入位置の検出に続いて、制御部２１は配線パネル２のタグリーダ／ライタが読み取ったコネクタプラグ３のＩＣタグ情報を上述のコネクタプラグの挿入位置の情報を関連付けて、配線ケーブル４の配線情報を表示部２５に表示する。この配線情報は、上位インターフェイス２７を介して図示しない管理用コンピュータ、又はデータベースに送られる。
【実施例４】
【００６４】
本発明の実施例４の配線支援システムは、図４の配線パネル２の模式的構成図に示す如く、配線ケーブル４のコネクタプラグ３が挿抜されるアダプタ５が多数配置され、且つ位置情報を提供するプラグ挿抜検出スイッチ１２がアダプタ５毎に配置された配線盤の配線情報を、配線ケーブル４のコネクタプラグ３に取付けた非接触ＩＣタグ１０を利用して収集する配線管理システムにおいて、前記配線盤に配置されたタグリーダ／ライタのアンテナ７をプラグ挿抜工具１６に配置し、プラグ挿抜工具１６でコネクタプラグ３を挟み込んだときにコネクタプラグ３に取付けられている非接触ＩＣタグ１０と前記タグリーダとの間の通信を行わせるようにしたことを特徴とするものである。
【００６５】
即ち、実施例４の配線支援システムは、図４に示す如き多数のアダプタが配置された配線盤に適用されたものである。前記配線盤は、９個のアダプタ５が横一列に等間隔に配置された多数の配線パネル２で構成されている。アダプタ５にはプラグ挿抜検出スイッチ１２がそれぞれ設置されている。配線パネル２の正面には直角に突出したボード８が備えられている。ボード８には回路基板が配置され、前記回路基板には各種の回路素子や電子部品が接続されて配線パネル２のタグリーダ／ライタを構成している。ボード８は、プラグ挿抜検出スイッチ１２のスイッチ基板としても機能している。
【００６６】
配線パネル２のタグリーダ／ライタのアンテナ７は、接続ケーブル１４を介して配線パネル２から離間し、プラグ挿抜工具１６に配置されている。
【００６７】
実施例４の配線管理システムを構成する配線管理パネルは、図８のブロック構成図に示す如く、パネル全体の制御を行う制御部２１、ＩＣタグと通信電波を入放射するタグリーダ／ライタのアンテナ部２２、ＩＣタグと通信処理を行うＩＣタグ用変復調部２３、コネクタプラグの挿入又は抜去を監視するスイッチ部２４、ＬＥＤ等で各種の表示を行う表示部２５、タグリーダ／ライタとＩＣタグとの通信完了の確認音を発生する音源部２６、配線情報を管理するデータベースと接続するためのインターフェイス２７、電源部２８、及び入力部３０とで構成されている。入力部３０は、コネクタプラグの挿入と抜去の選択を指示する情報などを入力するためのものである。タグリーダ／ライタは、アンテナ２２と制御部２１とＩＣタグ用変復調部２３とで構成されている。タグリーダ／ライタのアンテナ部２２と入力部３０は、プラグ挿抜工具１６に配置されている。
【００６８】
上述の如く構成された実施例４の配線管理システムにおいて、配線管理は次のようにして行われる。先ず、配線ケーブル４のコネクタプラグ３に取付けられたＩＣタグ１０の固有ＩＤを含むＩＣタグ情報などを、図示しない管理用コンピュータに配線の組情報として登録する。
【００６９】
次に、配線ケーブル４のコネクタプラグ３をアダプタ５に挿入接続するとき、作業員はコネクタプラグ３をプラグ挿抜工具１６で挟持する。すると、ＩＣタグ１０はプラグ挿抜工具１６に配置されているタグリーダ／ライタのアンテナ７と電波の授受を行い、ＩＣタグ情報を配線パネル２のタグリーダ／ライタに読み取らせる。ＩＣタグ情報の読み取りが完了すると、音源部２６は確認音を発生する。
【００７０】
そこで、プラグ挿抜工具１６を用いて前記コネクタプラグ３をアダプタ５に挿入接続する。すると、アダプタ５に設置されているプラグ挿抜検出スイッチ１２がコネクタプラグ３に押され、この状態を保持する。
【００７１】
次に、制御部２１はスイッチ部２４の状態を走査し、図４においては、配線パネル２のアダプタ５に設置されているプラグ挿抜検出スイッチ１２のどれが押されたかを調べる。
【００７２】
コネクタプラグの挿入位置の検出に続いて、制御部２１は配線パネル２のタグリーダ／ライタが読み取ったコネクタプラグ３のＩＣタグ情報を上述のコネクタプラグの挿入位置の情報と関連付けて、配線ケーブル４の配線情報を表示部２５に表示する。この配線情報は、上位インターフェイス２７を介して図示しない管理用コンピュータ、又はデータベースに送られる。
【実施例５】
【００７３】
本発明の実施例５の配線支援システムは、図５の配線パネル２の模式的構成図に示す如  く、配線ケーブル４のコネクタプラグ３が挿抜されるアダプタ５が多数配置され、且つ位置情報を記憶したバーコード１８がアダプタ５毎に配置された配線盤の配線情報を、配線ケーブル４のコネクタプラグ３に取付けた非接触ＩＣタグ１０を利用して収集する配線管理システムにおいて、前記配線盤に配置されたタグリーダ／ライタのアンテナ７とバーコードリーダ１９をプラグ挿抜工具１６に配置し、プラグ挿抜工具１６でコネクタプラグ３を挟み込んだときにコネクタプラグ３に取付けられている非接触ＩＣタグ１０と前記タグリーダとの間の通信を行わせるようにし、更にプラグ挿抜工具１６でコネクタプラグ３をアダプタ５に挿入したときにバーコードリーダ３１によってアダプタ５に近接して配置されているバーコード１８の情報を読み取らせるようにしたことを特徴とするものである。
【００７４】
即ち、実施例５の配線支援システムは、図５に示す如き多数のアダプタが配置された配線盤に適用されたものである。前記配線盤は、９個のアダプタ５が横一列に等間隔に配置された多数の配線パネル２で構成されている。前記配線盤には、位置情報を記憶したバーコード１８がアダプタ５毎に配置されている。
【００７５】
配線パネル２のタグリーダ／ライタのアンテナ７は、プラグ挿抜工具１６に配置されている。また、バーコードリーダ３１も、プラグ挿抜工具１６に配置されている。タグリーダ／ライタのアンテナ７とバーコードリーダ３１は、接続ケーブル１５を介して図示しないＰＣなどの配線管理パネルに接続されている。
【００７６】
実施例５の配線管理システムを構成する配線管理パネルは、図９のブロック構成図に示す如く、パネル全体の制御を行う制御部２１、ＩＣタグと通信電波を入放射するタグリーダ／ライタのアンテナ部２２、ＩＣタグと通信処理を行うＩＣタグ用変復調部２３、タグリーダ／ライタとＩＣタグとの通信完了の確認音を発生する音源部２６、電源部２８、入力部３０、バーコードリーダ部３１、及びデータベース部３２とで構成されている。入力部３０は、コネクタプラグの挿入と抜去の選択を指示する情報などを入力するためのものである。タグリーダ／ライタは、アンテナ２２と制御部２１とＩＣタグ用変復調部２３とで構成されている。タグリーダ／ライタのアンテナ部２２、入力部３０及びバーコードリーダ部３１は、プラグ挿抜工具１６に配置されている。
【００７７】
上述の如く構成された実施例５の配線管理システムにおいて、配線管理は次のようにして行われる。先ず、配線ケーブル４のコネクタプラグ３に取付けられたＩＣタグ１０の固有ＩＤを含むＩＣタグ情報などをデータベース３２に配線の組情報として登録する。
【００７８】
次に、配線ケーブル４のコネクタプラグ３をアダプタ５に挿入接続するとき、作業員はコネクタプラグ３をプラグ挿抜工具１６で挟持する。すると、ＩＣタグ１０はプラグ挿抜工具１６に配置されているタグリーダ／ライタのアンテナ７と電波の授受を行い、ＩＣタグ情報を配線パネル２のタグリーダ／ライタに読み取らせる。ＩＣタグ情報の読み取りが完了すると、音源部２６は確認音を発生する。
【００７９】
そこで、プラグ挿抜工具１６を用いて前記コネクタプラグ３をアダプタ５に挿入接続する。すると、プラグ挿抜工具１６に配置されているバーコードリーダ３１が、アダプタ５に近接して取付けてあるバーコード１８、即ちコネクタプラグ３の挿入位置情報を読み取る。
【００８０】
次に、制御部２１は配線パネル２のタグリーダ／ライタが読み取ったコネクタプラグ３のＩＣタグ情報を、バーコードリーダ３１が読み取った上述のコネクタプラグの挿入位置の情報を関連付けて、データベース３２に送付する。
【図面の簡単な説明】
【００８１】
【図１】本発明の実施例１の配線管理システムが適用された配線パネルの模式的構成図である。
【図２】本発明の実施例２の配線管理システムが適用された配線パネルの模式的構成図である。
【図３】本発明の実施例３の配線管理システムが適用された配線パネルの模式的構成図である。
【図４】本発明の実施例４の配線管理システムが適用された配線パネルの模式的構成図である。
【図５】本発明の実施例５の配線管理システムが適用された配線パネルの模式的構成図である。
【図６】本発明の実施例１又は実施例３の配線管理システムを構成する配線管理パネルのブロック構成図である。
【図７】本発明の実施例２の配線管理システムを構成する配線管理パネルのブロック構成図である。
【図８】本発明の実施例４の配線管理システムを構成する配線管理パネルのブロック構成図である。
【図９】本発明の実施例５の配線管理システムを構成する配線管理パネルのブロック構成図である。
【図１０】本発明の実施例１の配線管理システムに用いられるＩＣタグの簡易回路構成図である。
【符号の説明】
【００８２】
１  配線盤
２，２Ａ，２Ｂ  配線パネル
３，３Ａ，３Ｂ  コネクタプラグ
４  配線ケーブル
５，５Ａ，５Ｂ  アダプタ
６Ａ，６Ｂ  ＬＥＤ
７，７Ａ，７Ｂ  タグリーダ／ライタのアンテナ
８Ａ，８Ｂ  タグリーダ／ライタ
９Ａ，９Ｂ  電磁遮蔽板
１０，１０Ａ，１０Ｂ  非接触ＩＣタグ
１２，１２Ａ，１２Ｂ  挿抜検出スイッチ
１３  スイッチ基板
１４  接続ケーブル
１５  接続ケーブル
１６  プラグ挿抜工具
１８  バーコード
２１  制御部
２２  ＩＣタグ用リーダ／ライタのアンテナ部
２３  ＩＣタグ用変復調部
２４  スイッチ部
２５  表示部
２６  音源部
２７  上位ＩＦ
２８  電源部
２９  遮蔽板コントロール部
３０  入力部
３１  バーコードリーダ部
３２  データベース
３４  アンテナコイル
３５  コンデンサ
３６  ＲＦＩＤチップ
３７  電子スイッチ
３８  自動電源遮断コントロール部
【図１】
2007158993.tif 000003
【図２】
2007158993.tif 000004
【図３】
2007158993.tif 000005
【図４】
2007158993.tif 000006
【図５】
2007158993.tif 000007
【図６】
2007158993.tif 000008
【図７】
2007158993.tif 000009
【図８】
2007158993.tif 000010
【図９】
2007158993.tif 000011
【図１０】
2007158993.tif 000012